(57)【特許請求の範囲】
【請求項１】
建築物における複数の外装材の縦目地と横目地との接続部に配設される目地縁切部材であって、
上記横目地を挟んで互いに隣り合う２つの外装材のそれぞれにおける、縦目地側の面である第１面に当接することによって、上記横目地の縁端を閉塞するプレート部と、
上記プレート部から突出するように形成され、上記２つの外装材のそれぞれにおける屋内側の面である第２面の両方、または上記２つの外装材が固定された躯体における屋内側の面である第３面に、上記２つの外装材を跨ぐように掛かることによって、上記目地縁切部材の位置決めを行う係止部と、を備えていることを特徴とする目地縁切部材。
【請求項２】
上記２つの外装材のそれぞれにおける、上記横目地を挟んで互いに対向し合う対向面の少なくとも一方に掛かることによって、上記目地縁切部材の位置決めを補助する補助係止部をさらに備え、
上記補助係止部は、上記プレート部および上記係止部の少なくとも一方から突出するように形成されていることを特徴とする請求項１に記載の目地縁切部材。
【請求項３】
上記係止部は、薄板状であり、上記第２面の両方または上記第３面に当接することを特徴とする請求項１または２に記載の目地縁切部材。
【請求項４】
上記係止部は、鉛直上側の端部である第１端部および鉛直下側の端部である第２端部を有するとともに、上記第１端部および上記第２端部と上記第２面との段差が小さくなるように、上記第１端部および上記第２端部に向けて徐々に厚さが薄くなっていることを特徴とする請求項１から３の何れか１項に記載の目地縁切部材。
【発明の詳細な説明】
【技術分野】
【０００１】
本発明は、建築物の外壁における縦目地と横目地との接続部に配設される目地縁切部材に関するものである。
【背景技術】
【０００２】
従来、住宅などの建築物の外壁をなす複数の外装材の目地（縦目地および横目地）には、雨水などの浸入を防ぐためにガスケットをはじめとする目地材が設けられている。特に、近年では、縦目地の屋内側に外装材が躯体よりも突出する形の段差がある場合に、当該段差を有する縦目地にも取り付け可能なガスケットの研究開発が進められている。例えば、特許文献１には、目地の室内（屋内）側の段差箇所に押込んで取付けられる二次目地材と、目地上端より挿入されて室内側に取付けられる一次目地材よりなる目地材が開示されている。
【先行技術文献】
【特許文献】
【０００３】
【特許文献１】特開２００６−５７４００号公報（２００６年３月２日公開）
【発明の概要】
【発明が解決しようとする課題】
【０００４】
しかしながら、特許文献１に開示された目地材は、段差を有する縦目地をシールするための部材であり、横Ｔ字型や十字型などの目地構造における縦目地と横目地との接続部に適用されるものではない。また、上記接続部のシール性を向上させるための目地材としては、一般にエンドキャップ（目地縁切部材）が用いられるが、従来のエンドキャップは、縦目地に段差がない場合を前提として位置決めを行うことが可能な構造になっている。
【０００５】
したがって、縦目地の屋内側に外装材が躯体よりも突出する形の段差がある場合において、縦目地と横目地との接続部に従来のエンドキャップを取り付ける際、当該エンドキャップの位置決めを行うのが困難であった。また、上記の段差箇所においては横目地の目地底がないことから、当該段差箇所の横目地においてシール性が低下するという問題点があった。
【０００６】
本発明は、前記の問題点に鑑みてなされたものであり、その目的は、例えば、横目地と屋内側に段差がある縦目地との接続部などに取付ける場合において、当該接続部付近のシール性を確保しつつ、位置決めを容易に行うことができる目地縁切部材を提供することにある。
【課題を解決するための手段】
【０００７】
上記の課題を解決するために、本発明の一態様に係る目地縁切部材は、建築物における複数の外装材の縦目地と横目地との接続部に配設される目地縁切部材であって、上記横目地を挟んで互いに隣り合う２つの外装材のそれぞれにおける、縦目地側の面である第１面に当接することによって、上記横目地の縁端を閉塞するプレート部と、上記プレート部から突出するように形成され、上記２つの外装材のそれぞれにおける屋内側の面である第２面の少なくとも一方、または上記２つの外装材が固定された躯体における屋内側の面である第３面に掛かることによって、上記目地縁切部材の位置決めを行う係止部と、を備えている。
【０００８】
上記構成によれば、本発明に係る目地縁切部材は、２つの外装材における第２面の少な
くとも一方または躯体の第３面に掛かることによって、上記目地縁切部材の位置決めを行う係止部が、プレート部から突出するように形成されている。したがって、２つの外装材における縦目地側の端部と躯体の縦目地側の端部とで段差が形成されている場合であっても、係止部を第２面に掛けることによって容易に上記目地縁切部材の位置決めができる。また、プレート部が横目地の縁端を閉塞するとともに係止部が横目地における目地底がない領域を閉塞することによって、縦目地と横目地との接続部付近のシール性を向上させることができる。
【０００９】
また、上記の課題を解決するために、本発明の一態様に係る目地縁切部材において、上記２つの外装材のそれぞれにおける、上記横目地を挟んで互いに対向し合う対向面の少なくとも一方に掛かることによって、上記目地縁切部材の位置決めを補助する補助係止部をさらに備え、上記補助係止部は、上記プレート部および上記係止部の少なくとも一方から突出するように形成されていることが好ましい。
【００１０】
上記構成によれば、本発明に係る目地縁切部材は、２つの外装材のそれぞれにおける対向面の少なくとも一方に掛かることによって、上記目地縁切部材の位置決めを補助する補助係止部をさらに備えている。したがって、係止部を外装材の第２面に掛けるとともに補助係止部を外装材の対向面に掛けることによって、上記目地縁切部材の位置決めがより容易化する。
【００１１】
また、上記の課題を解決するために、本発明の一態様に係る目地縁切部材において、上記係止部は、薄板状であり、上記２つの外装材のそれぞれにおける上記第２面の両方に当接することが好ましい。
【００１２】
上記構成によれば、係止部は薄板状であり、２つの外装材のそれぞれにおける第２面の両方に当接する。したがって、係止部における外装材の第２面と対向する面の略全ての領域が当該第２面に接触することから、係止部の形状が上記第２面に掛けるタイプのものよりも、位置決めの容易化・接続部への固定の確実化をさらに図ることができる。また、係止部が２つの外装材のどちらか一方のみに当接する場合と比較しても、位置決めの容易化・接続部への固定の確実化をさらに図ることができる。
【００１３】
また、上記の課題を解決するために、本発明の一態様に係る目地縁切部材において、上記係止部は、鉛直上側の端部である第１端部および鉛直下側の端部である第２端部を有するとともに、上記第１端部および上記第２端部と上記第２面との段差が小さくなるように、上記第１端部および上記第２端部に向けて徐々に厚さが薄くなっていることが好ましい。
【００１４】
上記構成によれば、係止部は、第１端部および第２端部を有するとともに、当該第１端部および第２端部に向けて徐々に厚さが薄くなっていることから、第１端部および第２端部と外装材の第２面との段差を小さくすることができる。
【００１５】
したがって、例えば、縦目地にガスケットを設ける場合において、当該ガスケットが外装材の第２面をもシールする場合、上記目地縁切部材における第１端部および第２端部の厚みによって生じるガスケットと上記第２面との隙間（三角隙）を小さくすることができる。これにより上記隙間から雨水等が浸入しにくくなるため、縦目地と横目地との接続部におけるシール性をさらに向上させることができる。
【発明の効果】
【００１６】
本発明の一態様に係る目地縁切部材によれば、外装材等の屋内側の面に係止部を掛けることによって、例えば、横目地と屋内側に段差がある縦目地との接続部などに取付ける際
の位置決めが容易になるとともに、当該接続部付近のシール性を確保できるという効果を奏する。
【図面の簡単な説明】
【００１７】
【図１】（ａ）は、本発明に係る目地縁切部材が適用される建築物の目地構造の一例を示す正面図であり、（ｂ）は、（ａ）に示される目地構造のＡ−Ａ’矢視断面図であり、（ｃ）は、（ａ）に示される目地構造における、縦目地と横目地との接続部を示す斜視図である。
【図２】（ａ）は、上記目地縁切部材を建築物に組付けた際に、外装材の縦目地側に現れる面から当該目地縁切部材を見た場合の斜視図であり、（ｂ）は、（ａ）に示される目地縁切部材を、プレート部における、外装材の第１面に当接する側の面から見た場合の斜視図である。
【図３】（ａ）は、本発明の一実施形態に係る目地縁切部材を縦目地と横目地との接続部に配設した状態について、外装材の縦目地側に現れる面から見た場合の斜視図であり、（ｂ）は、上記目地縁切部材を上記接続部に配設した状態について、プレート部における、外装材の第１面に当接する側の面から見た場合の斜視図である。
【図４】（ａ）および（ｂ）は、本発明の他の実施形態に係る目地縁切部材を、縦目地と横目地との接続部に配設した状態の概略を示す平面図である。
【図５】（ａ）は、本発明の他の実施形態に係る目地縁切部材を、プレート部における、外装材の第１面に当接する側の面から見た場合の斜視図であり、（ｂ）は、本発明の他の実施形態に係る目地縁切部材を、プレート部における、外装材の第１面に当接する側の面から見た場合の正面図である。
【発明を実施するための形態】
【００１８】
＜目地縁切部材の用途＞
まず、図１を参照して、本発明に係る目地縁切部材の用途について説明する。図１の（ａ）は、本発明に係る目地縁切部材が適用される建築物の目地構造の一例を示す正面図であり、（ｂ）は、（ａ）に示される目地構造のＡ−Ａ’矢視断面図であり、（ｃ）は、（ａ）に示される目地構造における、縦目地と横目地との接続部を示す斜視図である。
【００１９】
なお、以下では、便宜上、鉛直上側を上方、鉛直下側を下方、紙面に向かって右側を右方、紙面に向かって左側を左方とする。さらに、図１の（ｃ）では、便宜的に、縦目地Ｍ１に設けられる縦目地材および横目地Ｍ２に設けられる横目地材を省略している。
【００２０】
図１の（ａ）に示すように、左方の躯体６１には外装パネル（外装材）４１および４２が固定され、右方の躯体６２には外装パネル４３が固定されている。また、これらの外装パネルによって形成される縦目地Ｍ１および横目地Ｍ２には、雨水などの浸入を防ぐために目地材が設けられる。なお、外装パネル４１および４２には、サッシを含む様々な外装材が含まれる。
【００２１】
左方の外装パネル４１における縦目地Ｍ１側の面である第１面４１１、および外装パネル４１の下方に配置された外装パネル４２における縦目地Ｍ１側の面である第１面４２１は、躯体６１の縦目地Ｍ１側の面よりも右側に配置されており、外装パネル４１・４２における縦目地Ｍ１側の端部が突出する形の段差（以下、「第１段差」とする）が形成されている（図１の（ｂ）および（ｃ）参照）。また、外装パネル４１・４２の右方に配置された外装パネル４３における縦目地Ｍ１側の面４３１は、躯体６２の縦目地Ｍ１側の面よりも左側に配置されており、外装パネル４３における縦目地Ｍ１側の端部が突出する形の段差（以下、「第２段差」とする）が形成されている（図１の（ｂ）および（ｃ）参照）。なお、躯体６１および６２は、柱、梁、フレーム、下地材または壁等で構成される。
【００２２】
縦目地Ｍ１は、上下に並ぶ外装パネル４１・４２とそれらの右側に併設されている外装パネル４３との継目であり、縦目地Ｍ１を挟んで、外装パネル４１・４２と外装パネル４３とが左右に互いに隣り合っている。この縦目地Ｍ１には、縦目地材が設けられている。
【００２３】
ここで、縦目地Ｍ１に設けられる縦目地材は、図１の（ｂ）に示すような断面の、乾式の縦目地ガスケット５１である。この縦目地ガスケット５１は、縦目地Ｍ１に沿った長尺状で、左方の外装パネル４１の第１面４１１、外装パネル４１の下方に配置された外装パネル４２の第１面４２１および右方の外装パネル４３の面４３１に、屋内から屋外に向かう方向に断面直線状に延びる柱部５１１の両側面から突出している複数のリップ部５１２を連続して線状に接触させることによりシールラインＬ１を形成する。また、外装パネル４１・４２における屋内側の面である第２面４１２・４２２（具体的には、第２面４１２・４２２における第１段差を形成する面）に、断面略Ｃ字形状のリップ部５１３を同様に線状に接触させることにより、別途シールラインＬ２を形成する。縦目地ガスケット５１は、シールラインＬ１・Ｌ２によって、雨水などが屋内側へ浸入することを防止している。なお、リップ部５１３を外装パネル４１・４２から離間させてシールラインＬ２は作らなくてもよい。
【００２４】
横目地Ｍ２は、外装パネル４１と外装パネル４２との継目であり、横目地Ｍ２を挟んで、上側の外装パネル４１と下側の外装パネル４２とが上下に互いに隣り合っている。横目地Ｍ２の縁端は縦目地Ｍ１に接続されており、これにより、横Ｔ字型の目地が構成されている。この横目地Ｍ２には、縦目地ガスケット５１のような乾式の目地材であって、縦目地ガスケット５１とは相違した形状、例えば、図１の（ｂ）に示す縦目地ガスケット５１において断面略Ｃ字形状のリップ部５１３が備わっていない、換言すれば、柱部５１１の両側面から突出した複数のリップ部５１２のみからなる横目地ガスケット５２が設けられる（図１の（ａ）参照）。
【００２５】
なお、縦目地ガスケット５１として前記した横目地ガスケット５２と同じもの、すなわち断面略Ｃ字形状のリップ部５１３が備わっていない形状のものが使われてもよい。さらに、縦目地ガスケット５１、横目地ガスケット５２のどちらか一方、または両方が、乾式の目地材に替えて湿式のコーキング材であってもよい。
【００２６】
ここで、図１の（ｃ）に示すように、横Ｔ字型の目地では、縦目地Ｍ１におけるシールラインＬ１が、縦目地Ｍ１と横目地Ｍ２との接続部Ｂで途切れる（図中破線枠）。このため、縦目地Ｍ１と横目地Ｍ２との接続部Ｂにおける水密性が低下し、当該接続部Ｂから雨水が浸入しやすくなるという問題がある。また、外装パネル４１・４２の縦目地Ｍ１側の端部および躯体６１の縦目地Ｍ１側の端部で形成される第１段差には、横目地Ｍ２の目地底がない。このため、シールラインＬ２が上記目地底がない領域で途切れる（図示せず）とともに、接続部Ｂに対して従来のエンドキャップ（目地縁切部材）を取付けようとすれば、その位置決めが困難になるという問題もある。
【００２７】
本発明に係る目地縁切部材は、このような縦目地Ｍ１と横目地Ｍ２との接続部Ｂに配設されるものであり、その位置決めを容易に行うことができる。また、本発明に係る目地縁切部材は、当該接続部Ｂおよび横目地Ｍ２の目地底のない領域におけるシール性を向上させるものである。なお、便宜上、図１の（ａ）および図１の（ｃ）に示す横Ｔ字型の目地で説明するが、例えば十字型の目地構造でも本発明に係る目地縁切部材は適用できる。
【００２８】
＜目地縁切部材１の構造＞
次に、図２および図３を参照して、本発明に係る目地縁切部材の構造について説明する。図２の（ａ）および（ｂ）は、本発明の一実施形態に係る目地縁切部材１の概略構成を示す斜視図である。図３の（ａ）および（ｂ）は、目地縁切部材１を縦目地Ｍ１と横目地
Ｍ２との接続部Ｂに配設した状態を示す斜視図である。
【００２９】
本発明の一実施形態に係る目地縁切部材１は、外装パネル４１と外装パネル４２との継目である横目地Ｍ２の縁端（すなわち縦目地Ｍ１と横目地Ｍ２との接続部Ｂ）に配設される目地材である（図１参照）。目地縁切部材１は、図２の（ａ）および（ｂ）に示すように、プレート部２、当接部（係止部）３および補助当接部（補助係止部）４を備えている。
【００３０】
（プレート部２）
プレート部２は、縦目地Ｍ１に接続される横目地Ｍ２の縁端を閉塞する薄板部材である。プレート部２は、ＰＶＣ、ＡＥＳ、ＰＰ、ＰＥ、６−ナイロン、６−６ナイロン、ＰＥＴ、ＰＣなどの硬質樹脂、ゴムなどの弾性物質、または金属から構成されている。
【００３１】
プレート部２は、図３の（ａ）および（ｂ）に示すように、横目地Ｍ２を挟んで互いに隣り合う２つの外装パネル、すなわち外装パネル４１・４２の第１面４１１・４２１に当接するように配置される。このように、縦目地Ｍ１に接続される横目地Ｍ２の縁端をプレート部２によって閉塞することにより、縦目地Ｍ１におけるシールラインＬ１が、縦目地Ｍ１と横目地Ｍ２との接続部で途切れなくなる。このため、縦目地Ｍ１と横目地Ｍ２との接続部Ｂにおけるシール性の低下を抑制することができる。
【００３２】
また、プレート部２の形状は側面視において略菱形状であり、プレート部２の上下の端部が屋内側に向けて斜め上方に立ち上がった形状をしている。このような形状にすることで、プレート部２の上下の端部の厚みによって生じる、縦目地ガスケット５１と外装パネル４１・４２の第１面４１１・４２１との段差による隙間（三角隙）から雨水などが浸入しても、屋内側へ流れ込むことを抑制することができる。
【００３３】
なお、プレート部２の形状は、上記のような略菱形上に限定されない。換言すれば、プレート部２の形状は、縦目地Ｍ１に接続される横目地Ｍ２の縁端を閉塞することができればどのような形状であってもよい。また、プレート部２の上下の端部の厚みによって生じる、縦目地ガスケット５１と外装パネル４１・４２の第１面４１１・４２１との隙間（三角隙）を小さくするために、プレート部２の周縁部に板厚を先端に向かって薄くしたテーパー（図示せず）を設けてもよい。
【００３４】
さらに、下方の外装パネル４２の屋外側壁面が上方の外装パネル４１よりも屋外に出っ張っており、外装パネル４２の第１面４２１に突出した角部が設けられている場合、または横目地Ｍ２に取付けられる横目地ガスケット５２の補助部材（図示せず）が外装パネル４１よりも屋外側に突出している場合には、縦目地Ｍ１から屋外側に突出するようにプレート部２の一部を延在させた延在部（図示せず）を設けてもよい。この延在部によって、外装パネル４２の第１面４２１の角部等を覆うことができ、縦目地ガスケット５１の損傷・外装パネル４２の意匠性の向上等を図ることができる。
【００３５】
（当接部３）
当接部３は、図２の（ｂ）に示すように、プレート部２における幅広の面（外装パネル４１の第１面４１１の下縁および外装パネル４２の第１面４２１の上縁に当接する側の面）に突設された薄板状の部材である。本実施形態では、プレート部２の屋内側に配置される側縁から折れ曲る方向に突設されている。
【００３６】
図２の（ｂ）および図３の（ａ）に示すように、当接部３の、補助当接部４よりも上側の端部である第１端部３１は、上方の外装パネル４１の第２面４１２における第１段差を形成する面に屋内側から当接する。また、当接部３の、補助当接部４よりも下側の端部で
ある第２端部３２は、外装パネル４２の第２面４２２における第１段差を形成する面に屋内側から当接する。換言すれば、当接部３は、横目地Ｍ２を挟んで上下に配置された２つの外装パネル４１・４２のそれぞれにおける第２面４１２・４２２の両方に当接する形状になっている。当接部３の左右方向の幅は、図３の（ａ）および（ｂ）に示すように、横目地Ｍ２における目地底がない領域を屋内側から閉塞する程度の幅になっている。
【００３７】
当接部３は、当接部３とプレート部２とのなす角度が、外装パネル４１・４２における第１面４１１・４２１と第２面４１２・４２２とのなす角度と略一致するように、プレート部２から突出している。換言すれば、プレート部２で縦目地Ｍ１に接続される横目地Ｍ２の縁端を閉塞した状態において、上記第２面４１２・４２２における第１段差を形成する面に当接部３が当接するように、当接部３がプレート部２から突出していればよい。
【００３８】
このような当接部３を設けることにより、縦目地Ｍ１と横目地Ｍ２との接続部Ｂに目地縁切部材１を取付ける際に、当接部３を上記第２面４１２・４２２における第１段差を形成する面に当接させて、目地縁切部材１の位置決めを容易に行うことができる。また、当接部３によって、横目地Ｍ２の目地底のない領域が屋内側から閉塞されることから、当該領域におけるシール性を向上させることができる。
【００３９】
なお、当接部３は、主として目地縁切部材１の位置決めを容易にするために設けられた部材であることから、２つの外装パネル４１・４２の両方に当接するような形状でなくてもよい。例えば、当接部３の第１端部３１のみが当接するような形状であってもよいし、第２端部３２のみが当接するような形状であってもよい。換言すれば、当接部３は、２つの外装パネル４１．４２のそれぞれにおける第２面４１２・４２２の少なくとも一方に当接するような形状であればよい。
【００４０】
（補助当接部４）
補助当接部４は、図２の（ｂ）に示すように、当接部３における屋外を向く面（外装パネル４１・４２の第２面４１２・４２２と対向する側の面）から突出するように形成された薄板状の部材である。なお、図２に示す目地縁切部材１においては、補助当接部４は、プレート部２における当接部３が突設されている側の面とも連結している。また、補助当接部４は、図３の（ｂ）に示すように、プレート部２で横目地Ｍ２の縁端を閉塞した状態において、当該補助当接部４の上側の面が外装パネル４１における横目地Ｍ２側の面である第４面（対向面）４１３に当接するように配置されている。補助当接部４は、当接部３による目地縁切部材１の位置決めを補助する機能を有する。
【００４１】
このような補助当接部４を設けることにより、縦目地Ｍ１と横目地Ｍ２との接続部Ｂに目地縁切部材１を取付ける際に、補助当接部４を外装パネル４１の第４面４１３に当接させることで、目地縁切部材１の上下方向の位置決めをより容易に行うことができる。
【００４２】
なお、補助当接部４は、目地縁切部材１の位置決めをより容易化するために設けられた部材であることから、目地縁切部材１に補助当接部４が設けられていなくてもよい。すなわち、補助当接部４は、目地縁切部材１をはじめとする本発明に係る目地縁切部材に必須の構成要素ではない。
【００４３】
また、補助当接部４は、プレート部２で横目地Ｍ２の縁端を閉塞した状態において、当該補助当接部４の下側の面が下方の外装パネル４２における横目地Ｍ２側の面である第４面（対向面）４２３に当接するように配置されていてもよい（図示せず）。さらには、２つの補助当接部４を設けて、一方が上記第４面４１３に、他方が上記第４面４２３に、それぞれ当接するようにしてもよい（図示せず）。換言すれば、補助当接部４は、上下２つの外装パネル４１・４２のそれぞれにおける、横目地Ｍ２を挟んで互いに対向し合う第４
面４１３・４２３の少なくとも一方に当接するような配置になっていればよい。
【００４４】
また、補助当接部４は、プレート部２のみから突出するように形成されていてもよいし、当接部３のみから突出するように設けられていてもよい（ともに図示せず）。換言すれば、補助当接部４は、プレート部２および当接部３の少なくとも一方から突出するように形成されていればよい。
【００４５】
＜目地縁切部材のバリエーション＞
本発明に係る目地縁切部材の実施形態としては、上記の目地縁切部材１のみならず、様々なバリエーションが想定されるものであり、この点について、図４の（ａ）および（ｂ）、図５の（ａ）および（ｂ）を用いて説明する。
【００４６】
図４の（ａ）および（ｂ）は、本発明の他の実施形態に係る目地縁切部材１ａおよび１ｃを、縦目地Ｍ１と横目地Ｍ２との接続部Ｂに配設した状態の概略を示す平面図である。図５の（ａ）は、本発明の他の実施形態に係る目地縁切部材１ｄを、プレート部２における、外装パネル４１・４２の第１面４１１・４２１に当接する側の面から見た場合の斜視図であり、図５の（ｂ）は、本発明の他の実施形態に係る目地縁切部材１ｅを、プレート部２における、外装パネル４１・４２の第１面４１１・４２１に当接する側の面から見た場合の正面図である。
【００４７】
まず、本発明に係る目地縁切部材は、図４の（ａ）に示すように、外装パネル４１・４２の縦目地Ｍ１側の第１面４１１・４２１と、当該外装パネル４１・４２よりも屋内側に配置された躯体６３の縦目地Ｍ１側の面とが面一になる場合において、当接部３が当該躯体６３の屋内側の面である第３面６３１に当接する目地縁切部材１ａを実施形態として含む。この場合、プレート部２ａの側面視における大きさは、躯体６３の縦目地Ｍ１側の面も覆うように、外装パネル４１・４２の縦目地Ｍ１側の第１面４１１・４２１のみを覆うプレート部２の側面視における大きさよりも大きくなっている。なお、プレート部２ａの側面視における形状は、プレート部２の側面視における形状と略同一であるが、縦目地Ｍ１と横目地Ｍ２との接続部Ｂを閉塞できる形状であれば任意に設計変更できる。プレート部２ａの側面視における大きさについても同様である。
【００４８】
以上より、本発明に係る目地縁切部材は、縦目地側に外装パネルの端部および躯体の端部からなる段差が形成されていない場合においても、躯体における屋内側の面である第３面に係止部を掛けることによって縦目地と横目地との接続部に取付けることができる構造の目地縁切部材を実施形態して含む。
【００４９】
次に、本発明に係る目地縁切部材は、図４の（ｂ）に示すように、当接部３に代えて、当接部３ｃを備えている目地縁切部材１ｃを実施形態として含む。当接部３ｃは、外装パネル４１・４２の縦目地Ｍ１側の端部が平面視において屋内側の角部を切り欠いた形状になっている場合において、外装パネル４１・４２の第１面４１１・４２１および上記の切り欠き面に当接する形状になっている。図４の（ｂ）の切り欠いた形状は角張った直線状の面であるが、曲線が含まれたものでもよい。
【００５０】
なお、このように角部を切り欠いた形状であっても、本発明に係る目地縁切部材の係止部（またはプレート部）の形状については、目地縁切部材１ｃのように外装パネルにおける縦目地側の端部の形状に対応させる必要はなく、例えば、図４の（ｂ）に示された形状の段差箇所に対して、目地縁切部材１を適用してもよい。
【００５１】
次に、本発明に係る目地縁切部材は、図５の（ａ）に示すように、当接部３に代えて、第１当接部３ｄ−１および第２当接部３ｄ−２を備えている目地縁切部材１ｄを実施形態
として含む。第１当接部３ｄ−１および第２当接部３ｄ−２はそれぞれ薄板状であり、第１当接部３ｄ−１は、外装パネル４１の屋内側にある第２面４１２のみに当接するようにプレート部２の屋内側端縁の上端部から突出している。また、第２当接部３ｄ−２は、横目地Ｍ２を挟んで下方の外装パネル４２の屋内側にある第２面４２２のみに当接するようにプレート部２の下端部から突出している。この場合、補助当接部４は、プレート部２における両当接部３ｄ−１・３ｄ−２が突設されている側の面のみから突出するように形成される。
【００５２】
なお、上記のように２つの当接部３ｄ−１・３ｄ−２を設ける必要ななく、例えば、第１当接部３ｄ−１のみ設けてもよいし、第２当接部３ｄ−２のみ設けてもよい。
【００５３】
次に、本発明に係る目地縁切部材は、図５の（ｂ）に示すように、当接部３に代えて、当接部３ｅを備えている目地縁切部材１ｅを実施形態として含む。当接部３ｅは、当接部３の第１端部３１にテーパー部３ｅ−１を、第２端部３２にテーパー部３ｅ−２をそれぞれ設けた構造になっている。テーパー部３ｅ−１は第１端部３１の先端に向けて徐々に当接部３ｅの厚みが薄くなった部分である。また、テーパー部３ｅ−２は、第２端部３２の先端に向けて上記厚みが薄くなった部分である。
【００５４】
このようなテーパー部３ｅ−１・３ｅ−２を設けることにより、当接部３ｅにおける第１端部３１および第２端部３２と、外装パネル４１・４２の第２面４１２・４２２との段差を小さくすることができる。それゆえ、例えば図１の（ｂ）に示す縦目地ガスケット５１を使用する場合において、縦目地ガスケット５１の断面略Ｃ字形状のリップ部５１３でシールラインＬ２を屋内側に形成するにおいて、リップ部５１３が当接部３ｅの屋内側側面に乗り上げた際に隙間ができず、縦目地Ｍ１と横目地Ｍ２との接続部Ｂにおけるシール性をさらに向上させることができる。
【符号の説明】
【００５５】
１、１ａ、１ｃ、１ｄ、１ｅ  目地縁切部材
２、２ａ  プレート部
３、３ｃ、３ｅ  当接部（係止部）
３ｄ−１  第１当接部（係止部）
３ｄ−２  第２当接部（係止部）
４  補助当接部（補助係止部）
３１  第１端部
３２  第２端部
４１、４２、４３  外装パネル（外装材）
４１１、４２１  第１面
４１２、４２２  第２面
４１３、４２３  第４面（対向面）
６３１  第３面
Ｂ  接続部
Ｍ１  縦目地
Ｍ２  横目地
【図１】
0006706090.tif 000002
【図２】
0006706090.tif 000003
【図３】
0006706090.tif 000004
【図４】
0006706090.tif 000005
【図５】
0006706090.tif 000006